(57)【要約】  本発明の炊飯器は、加熱コイルとインバータ回路とを有する第１の加熱装置と、抵抗加熱ヒータとスイッチング回路とを有する第２の加熱装置と、インバータ回路に入力される電流値を検知する電流検知装置と、第１及び第２の加熱装置を制御する制御装置と、電流検知装置が検知した電流値に基づいて消費電力量又は電気料金を算出する算出装置と、算出手段が算出した消費電力量又は電気料金を表示する表示装置とを備え、算出装置が算出する消費電力量は、第１の加熱装置の消費電力量又は電気料金に、第２の加熱装置の駆動時間に応じて第２の加熱装置により消費された消費電力量又は電気料金を加算した値である。
2013132865.tif 000002
【特許請求の範囲】
【請求項１】
調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて消費電力量を算出する消費電力量算出装置と、
前記消費電力量算出装置が算出した消費電力量を表示する消費電力量表示装置と、
を備え、
前記消費電力量算出装置が算出する消費電力量は、前記電流検知装置が検知した電流値に基づいて算出した前記第１の加熱装置の消費電力量に、前記第２の加熱装置の駆動時間に応じて前記第２の加熱装置により消費された消費電力量を加算した値である、炊飯器。
【請求項２】
前記消費電力量算出装置が算出する消費電力量は、前記電流検知装置が検知した電流値に基づいて算出した前記第１の加熱装置の消費電力量に、前記第２の加熱装置の駆動時間に応じて前記第２の加熱装置により消費された消費電力量と、調理時間に応じた消費電力量とを加算した値である、請求項１に記載の炊飯器。
【請求項３】
更に、前記第１の加熱装置への入力電圧を検知する電圧検知装置を備え、
前記消費電力量算出装置は、前記電流検知装置が検知した電流値と前記電圧検知装置が検知した電圧値とに基づいて前記第１の加熱装置の消費電力量を算出する、請求項１に記載の炊飯器。
【請求項４】
調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて電気料金を算出する電気料金算出装置と、
前記電気料金算出装置が算出した電気料金を表示する電気料金表示装置と、
を備え、
前記電気料金算出装置が算出する電気料金は、前記電流検知装置で検知した電流値に基づいて算出した前記第１の加熱装置にかかる電気料金に、前記第２の加熱装置の駆動時間に応じて前記第２の加熱装置により費やされた電気料金を加算した料金である、炊飯器。
【請求項５】
前記電気料金算出装置が算出する電気料金は、前記電流検知装置が検知した電流値に基づいて算出した前記第１の加熱装置にかかる電気料金に、前記第２の加熱装置の駆動時間に応じて前記第２の加熱装置により費やされた電気料金と、調理時間に応じた電気料金とを加算した料金である、請求項４に記載の炊飯器。
【請求項６】
更に、前記第１の加熱装置への入力電圧を検知する電圧検知装置を備え、
前記電気料金算出装置は、前記電流検知装置が検知した電流値と前記電圧検知装置が検知した電圧値とに基づいて前記第１の加熱装置にかかる電気料金を算出する、請求項４に記載の炊飯器。
【請求項７】
前記電気料金表示装置は、炊飯に費やした電気料金、保温に費やした電気料金、炊飯開始から保温終了までに費やした電気料金、炊飯器の動作開始から炊飯中又は保温中の任意期間までに費やした電気料金のいずれかを表示する、請求項４に記載の炊飯器。
【請求項８】
前記電気料金表示装置は、炊飯終了時に自動的に、炊飯で費やした電気料金を任意の一定時間表示し、その後、保温状態に移行したことを示す情報を表示する、請求項７に記載の炊飯器。
【請求項９】
更に、前記電気料金の表示を指示する表示指示ボタンを備え、
前記電気料金表示装置は、炊飯動作又は保温動作中に前記表示指示ボタンが押されたとき、炊飯開始から前記表示指示ボタンが押されるまでに費やした電気料金を表示する、請求項７に記載の炊飯器。
【請求項１０】
前記電気料金の表示を指示する電気料金表示指示ボタンと、
過去に実行した炊飯又は保温時に費やした電気料金を記憶する記憶部と、
を更に備え、
前記電気料金表示装置は、待機状態で前記表示指示ボタンが押されたとき、前記記憶部に記憶された過去に実行した炊飯又は保温時に費やした電気料金を表示する、請求項７に記載の炊飯器。
【請求項１１】
前記記憶部は、過去に実行した炊飯又は保温時に費やした電気料金とともに、当該実行した炊飯又は保温に対応する炊飯コース又は保温コースを関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた炊飯コース又は保温コースとを表示する、請求項１０に記載の炊飯器。
【請求項１２】
前記記憶部は、過去に実行した炊飯又は保温時に費やした電気料金とともに、当該炊飯又は保温を実行した日時を関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた日時とを表示する、請求項１０に記載の炊飯器。
【請求項１３】
更に、電気料金の単価を入力可能な単価入力部を備え、
前記記憶部は、前記単価入力部に入力された電気料金の単価を記憶し、
前記電気料金算出装置は、前記電気料金の単価に基づいて調理にかかる電気料金を算出する、請求項１０に記載の炊飯器。
【請求項１４】
前記単価入力部は、契約している電力会社の電気料金契約条件にあたる時間帯別、曜日毎、月毎、又はある一定の期間毎の電気料金の単価を入力可能である、請求項１３に記載の炊飯器。
【請求項１５】
前記電気料金表示装置は、電気料金を、１回の炊飯毎、１回の保温毎、１回の炊飯及び保温毎、一日単位で費やした電気料金毎、任意の期間に費やした電気料金毎、曜日毎に費やした電気料金毎、朝、昼、夕、晩、夜中等の食事の時間帯毎、又は、契約している電力会社の電気料金設定単価毎に累計して表示する、請求項１０に記載の炊飯器。
【請求項１６】
外部通信端末と通信を行う通信装置を更に備え、
前記通信装置は、前記記憶部に記憶された情報を前記外部通信端末に通信する、請求項１１又は１２に記載の炊飯器。
【発明の詳細な説明】
【技術分野】
【０００１】
本発明は、消費電力量又は電気料金を表示する機能を有する炊飯器に関する。
【背景技術】
【０００２】
近年、消費電力量又は電気料金を表示する機能を有する電化製品が提案されている（例えば、特許文献１、２参照）。この種の電化製品は、負荷に入力される電流値を電流検知装置により検知し、当該電流検知装置が検知した電流値と負荷の駆動時間とに基づいて消費電力量又は電気料金を算出するように構成されている。
【先行技術文献】
【特許文献】
【０００３】
【特許文献１】特開２０１０−２３６７６０号公報
【特許文献２】特開２００８−１７３１５２号公報
【発明の概要】
【発明が解決しようとする課題】
【０００４】
しかしながら、前記構成を従来の炊飯器に適用した場合、炊飯器が大型化するという課題がある。【０００５】
すなわち、従来の炊飯器は、鍋を加熱する加熱装置を複数備えている。前記構成における電流検知装置を従来の炊飯器に１つ設けた場合には、１つの加熱装置の消費電力量又は電気料金しか算出できない。この場合、炊飯等の調理にかかる消費電力量又は電気料金を正確に算出することができない。この課題を解決する方法として、複数の加熱装置毎に電流検知装置を設けることが考えられる。しかしながら、この場合、当然ながら、電流検知装置の数量が増えるので、そのための設置面積及び容積が必要になる。その結果、炊飯器が大型化することになる。【０００６】
従って、本発明の目的は、前記従来の課題を解決することにあって、炊飯器の大型化を抑えるとともに、調理にかかる消費電力量又は電気料金をより正確に算出することができる炊飯器を提供することにある。
【課題を解決するための手段】
【０００７】
前記従来の課題を解決するために、本発明は、調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて消費電力量又は電気料金を算出する算出装置と、
前記算出装置が算出した消費電力量又は電気料金を表示する表示装置と、
を備え、
前記算出装置が算出する消費電力量又は電気料金は、前記電流検知装置が検知した電流値に基づいて算出した前記第１の加熱装置の消費電力量又は電気料金に、前記第２の加熱装置の駆動時間に応じて前記第２の加熱装置により消費された消費電力量又は電気料金を加算した値である、炊飯器を提供する。
【発明の効果】
【０００８】
本発明にかかる炊飯器によれば、電流検知装置の数量を加熱装置の数量より少なくして、炊飯器の大型化を抑えるとともに、調理にかかる消費電力量又は電気料金をより正確に算出することができる。
【図面の簡単な説明】
【０００９】
本発明のこれらと他の目的と特徴は、添付された図面についての好ましい実施の形態に関連した次の記述から明らかになる。この図面においては、
【図１】図１は、本発明の第１実施形態にかかる炊飯器の構成を示すブロック図であり、
【図２】図２は、本発明の第３実施形態にかかる炊飯器の構成を示すブロック図であり、
【図３】図３は、本発明の第４実施形態にかかる炊飯器の構成を示すブロック図であり、
【図４】図４は、本発明の第６実施形態にかかる炊飯器の構成を示すブロック図であり、
【図５】図５は、本発明の第７実施形態にかかる炊飯器において、炊飯終了時に電気料金表示装置が電気料金を表示する例を示す図であり、
【図６】図６は、本発明の第７実施形態にかかる炊飯器において、保温終了時に電気料金表示装置が電気料金を表示する例を示す図であり、
【図７】図７は、本発明の第７実施形態にかかる炊飯器において、保温終了時に電気料金表示装置が電気料金を表示する例を示す図であり、
【図８】図８は、本発明の第８実施形態にかかる炊飯器の構成を示すブロック図であり、
【図９】図９は、本発明の第９実施形態にかかる炊飯器の構成を示すブロック図であり、
【図１０】図１０は、本発明の第９実施形態にかかる炊飯器において、電気料金表示装置が過去に実行した炊飯又は保温時に費やした電気料金の履歴を複数表示する例を示す図であり、
【図１１】図１１は、本発明の第９実施形態にかかる炊飯器の構成を示すブロック図であり、
【図１２】図１２は、本発明の第１０実施形態にかかる炊飯器において、電気料金表示装置が電気料金を１回の炊飯毎に累計し、棒グラフで表示する例を示している図であり、
【図１３】図１３は、本発明の第１１実施形態にかかる炊飯器の構成を示すブロック図である。
【発明を実施するための形態】
【００１０】
本発明の第１態様によれば、調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて消費電力量を算出する消費電力量算出装置と、
前記消費電力量算出装置が算出した消費電力量を表示する消費電力量表示装置と、
を備え、
前記消費電力量算出装置が算出する消費電力量は、前記電流検知装置が検知した電流値に基づいて算出した前記第１の加熱装置の消費電力量に、前記第２の加熱装置の駆動時間に応じて前記第２の加熱装置により消費された消費電力量を加算した値である、炊飯器を提供する。
【００１１】
本発明の第２態様によれば、前記消費電力量算出装置が算出する消費電力量は、前記電流検知装置が検知した電流値に基づいて算出した前記第１の加熱装置の消費電力量に、前記第２の加熱装置の駆動時間に応じて前記第２の加熱装置により消費された消費電力量と、調理時間に応じた消費電力量とを加算した値である、第１態様に記載の炊飯器を提供する。
【００１２】
本発明の第３態様によれば、更に、前記第１の加熱装置への入力電圧を検知する電圧検知装置を備え、
前記消費電力量算出装置は、前記電流検知装置が検知した電流値と前記電圧検知装置が検知した電圧値とに基づいて前記第１の加熱装置の消費電力量を算出する、第１態様に記載の炊飯器を提供する。
【００１３】
本発明の第４態様によれば、調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置で検知した電流値に基づいて電気料金を算出する電気料金算出装置と、
前記電気料金算出装置が算出した電気料金を表示する電気料金表示装置と、
を備え、
前記電気料金算出装置が算出する電気料金は、前記電流検知装置で検知した電流値に基づいて算出した前記第１の加熱装置にかかる電気料金に、前記第２の加熱装置の駆動時間に応じて前記第２の加熱装置により費やされた電気料金を加算した料金である、炊飯器を提供する。
【００１４】
本発明の第５態様によれば、前記電気料金算出装置が算出する電気料金は、前記電流検知装置が検知した電流値に基づいて算出した前記第１の加熱装置にかかる電気料金に、前記第２の加熱装置の駆動時間に応じて前記第２の加熱装置により費やされた電気料金と、調理時間に応じた電気料金とを加算した料金である、第４態様に記載の炊飯器を提供する。
【００１５】
本発明の第６態様によれば、更に、前記第１の加熱装置への入力電圧を検知する電圧検知装置を備え、
前記電気料金算出装置は、前記電流検知装置が検知した電流値と前記電圧検知装置が検知した電圧値とに基づいて前記第１の加熱装置にかかる電気料金を算出する、第４態様に記載の炊飯器を提供する。
【００１６】
本発明の第７態様によれば、前記電気料金表示装置は、炊飯に費やした電気料金、保温に費やした電気料金、炊飯開始から保温終了までに費やした電気料金、炊飯器の動作開始から炊飯中又は保温中の任意期間までに費やした電気料金のいずれかを表示する、第４態様に記載の炊飯器を提供する。
【００１７】
本発明の第８態様によれば、前記電気料金表示装置は、炊飯終了時に自動的に、炊飯で費やした電気料金を任意の一定時間表示し、その後、保温状態に移行したことを示す情報を表示する、第７態様に記載の炊飯器を提供する。
【００１８】
本発明の第９態様によれば、更に、前記電気料金の表示を指示する表示指示ボタンを備え、
前記電気料金表示装置は、炊飯動作又は保温動作中に前記表示指示ボタンが押されたとき、炊飯開始から前記表示指示ボタンが押されるまでに費やした電気料金を表示する、第７態様に記載の炊飯器を提供する。
【００１９】
本発明の第１０態様によれば、前記電気料金の表示を指示する電気料金表示指示ボタンと、
過去に実行した炊飯又は保温時に費やした電気料金を記憶する記憶部と、
を更に備え、
前記電気料金表示装置は、待機状態で前記表示指示ボタンが押されたとき、前記記憶部に記憶された過去に実行した炊飯又は保温時に費やした電気料金を表示する、第７態様に記載の炊飯器を提供する。
【００２０】
本発明の第１１態様によれば、前記記憶部は、過去に実行した炊飯又は保温時に費やした電気料金とともに、当該実行した炊飯又は保温に対応する炊飯コース又は保温コースを関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた炊飯コース又は保温コースとを表示する、第１０態様に記載の炊飯器を提供する。
【００２１】
本発明の第１２態様によれば、前記記憶部は、過去に実行した炊飯又は保温時に費やした電気料金とともに、当該炊飯又は保温を実行した日時を関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた日時とを表示する、第１０態様に記載の炊飯器を提供する。
【００２２】
本発明の第１３態様によれば、更に、電気料金の単価を入力可能な単価入力部を備え、
前記記憶部は、前記単価入力部に入力された電気料金の単価を記憶し、
前記電気料金算出装置は、前記電気料金の単価に基づいて調理にかかる電気料金を算出する、第１０態様に記載の炊飯器を提供する。
【００２３】
本発明の第１４態様によれば、前記単価入力部は、契約している電力会社の電気料金契約条件にあたる時間帯別、曜日毎、月毎、又はある一定の期間毎の電気料金の単価を入力可能である、第１３態様に記載の炊飯器を提供する。
【００２４】
本発明の第１５態様によれば、前記電気料金表示装置は、電気料金を、１回の炊飯毎、１回の保温毎、１回の炊飯及び保温毎、一日単位で費やした電気料金毎、任意の期間に費やした電気料金毎、曜日毎に費やした電気料金毎、朝、昼、夕、晩、夜中等の食事の時間帯毎、又は、契約している電力会社の電気料金設定単価毎に累計して表示する、第１０態様に記載の炊飯器を提供する。
【００２５】
本発明の第１６態様によれば、外部通信端末と通信を行う通信装置を更に備え、
前記通信装置は、前記記憶部に記憶された情報を前記外部通信端末に通信する、第１１又は１２態様に記載の炊飯器を提供する。
【００２６】
以下、本発明の実施形態について、図面を参照しながら説明する。なお、この実施形態によって、本発明が限定されるものではない。
【００２７】
（第１実施形態）
以下に、本発明の第１実施形態にかかる炊飯器について説明する。図１は、本発明の第１実施形態にかかる炊飯器の構成を示すブロック図である。
【００２８】
図１において、本第１実施形態にかかる炊飯器は、鍋１と、第１の加熱装置２と、第２の加熱装置３と、第１の加熱装置２と第２の加熱装置３とを制御する制御装置４とを備えている。
【００２９】
鍋１は、例えば、米や水などの調理物を入れる磁性体製の容器である。
【００３０】
第１の加熱装置２は、鍋１を誘導加熱する加熱コイル２１と、加熱コイル２１に高周波電流を供給するインバータ回路２２とを備えている。加熱コイル２１は、例えば、鍋１の底面近傍に配置されている。また、鍋１の底面近傍には、鍋１の温度を検知する温度センサ（図示せず）が設けられている。
【００３１】
第２の加熱装置３は、鍋１を加熱する抵抗加熱ヒータ３１と、抵抗加熱ヒータ３１のオン／オフを切り換えるスイッチング回路３２とを備えている。第２の加熱装置３は、例えば、鍋１の側面に配置されている。抵抗加熱ヒータ３１は、鍋１を側面から加熱するものである。抵抗加熱ヒータ３１がオンされると、１００Ｗ消費される。
【００３２】
制御装置４は、例えば、ＣＰＵ（Ｃｅｎｔｒａｌ  Ｐｒｏｃｅｓｓｉｎｇ  Ｕｎｉｔ）等の半導体素子を備えている。制御装置４は、前記温度センサの検知温度と、予め記憶された炊飯シーケンスとに基づき、インバータ回路２２の電力を制御するとともに、スイッチング回路３２のオン／オフを制御する。
【００３３】
また、制御装置４は、予め記憶された制御プログラムに基づいて、電流検知装置５と、消費電力算出装置６と、消費電力量表示装置７とを制御する。
【００３４】
電流検知装置５は、第１の加熱装置２のインバータ回路２２に入力される電流値を検知するものである。電流検知装置５は、例えば、カレントトランスの一次側コイルに電流を流し、当該カレントトランスの二次側コイルの出力値をＡＤ変換することにより、インバータ回路２２に入力される電流値を検知するように構成されている。なお、電流検知装置５は、例えば、電流検知専用の半導体素子を用いて、インバータ回路２２に入力される電流値を検知するように構成されてもよい。
【００３５】
消費電力算出装置６は、例えば、消費電力を演算するための半導体素子を備えている。消費電力算出装置６は、電流検知装置５が検知した電流値に基づいて消費電力量を算出する。なお、本第１実施形態では、消費電力算出装置６と制御装置４とを別々に設けたが、本発明はこれに限定されない。例えば、消費電力算出装置６の機能を制御装置４が備えてもよい。
【００３６】
消費電力量表示装置７は、例えば、液晶表示装置（Ｌｉｑｕｉｄ  Ｃｒｙｓｔａｌ  Ｄｉｓｐｌａｙ）で構成されている。消費電力量表示装置７は、消費電力算出装置６が算出した消費電力量を表示する。
【００３７】
次に、制御装置５による第１の加熱装置２の電力制御について説明する。
【００３８】
本第１実施形態において、制御装置４は、電流検知装置５が検知した電流値に基づいて第１の加熱装置２の電力を制御する。第１の加熱装置２の電力が目標の電力になるようにする制御装置４の制御は、例えば、次の手順で行われる。
【００３９】
まず、制御装置４は、目標の電力より確実に低い電力でインバータ回路２２を一旦駆動する。また、制御装置４は、このときに電流検知装置５が検知した電流値を読み込む。
【００４０】
次いで、制御装置４は、読み込んだ電流値と目標電力の時に想定される電流値（以下、目標電流値という）との差を確認し、当該差が大きければ、第１の加熱装置２の電力が少し増加するようにインバータ回路２２を駆動する。また、制御装置４は、このときに電流検知装置５が検知した電流値を読み込む。
【００４１】
次いで、制御装置４は、読み込んだ電流値と目標電流値との差を確認し、当該差が大きければ、第１の加熱装置２の電力が少し増加するようにインバータ回路２２を駆動する。
【００４２】
以下、制御装置４は、同様の処理を繰り返し、第１の加熱装置２の電力が徐々に目標の電力になるようにインバータ回路２２を駆動する。なお、このような制御装置４の制御により、第１の加熱装置２の電力が大体目標の電力となるのは、加熱開始から約０．３〜１秒後である。第１の加熱装置２の電力が目標の電力になると、制御装置４は、当該目標の電力を維持するようにインバータ回路２２を駆動する。
【００４３】
次に、消費電力算出装置６による第１の加熱装置２の消費電力量の算出について説明する。
【００４４】
本第１実施形態において、消費電力量算出装置６は、電流検知装置５が検知した電流値と予め設定された値（例えば、入力電圧の固定値である１００Ｖ）との積を積算することにより、第１の加熱装置２の消費電力量を算出する。
【００４５】
より具体的には、消費電力量算出装置６は、調理開始後０．１秒毎に電流検知装置５が検知した電流値と、入力電圧の固定値である１００Ｖとの積を求める。以下、この積を瞬間電力という。
【００４６】
その後、消費電力量算出装置６は、当該０．１秒毎の瞬間電力を積算していく。これにより、第１の加熱装置２の消費電力量が算出される。なお、これにより算出される消費電力量は、０．１秒毎の瞬間電力を積算したものであるので、ワット秒の単位で算出したい場合は、当該消費電力量を１０で割ることで算出することができる。また、ワット時の単位で算出したい場合は、前記ワット秒の単位で算出した消費電力量を３６００で割ることで算出することができる。
【００４７】
次に、消費電力量算出装置６が、０．１秒毎に電流検知装置５が検知した電流値に基づいて瞬間電力を求めるようにした理由について説明する。
【００４８】
本第１実施形態においては、第１の加熱装置２の電力が徐々に目標電力に近づくように制御装置４がインバータ回路２２を制御するので、加熱開始から０．３〜１秒ほどの間は電力が安定していない。以下、この期間を過渡期間という。このため、消費電力量算出装置６が、例えば１秒毎に電流検知装置５が検知した電流値に基づいて瞬間電力を求めるようにすると、前記過渡期間の電力量を正しく算出できない。すなわち、消費電力量算出装置６が算出した消費電力量と実際の消費電力量とに差異が生じる。
【００４９】
第１の加熱装置２が目標の電力を長時間にわたり維持するように制御装置４がインバータ回路２２を制御するときは、前記差異は無視できる。しかしながら、１秒オン、１秒オフを繰り返すような、頻繁にオンからオフ、オフからオンに切り替わる制御を制御装置４がインバータ回路２２に対して行う場合、前記差異が蓄積され、最終的に当該差異が無視できないレベルまで大きくなる。
【００５０】
このため、本第１実施形態では、消費電力量算出装置６が瞬間電力を求める間隔を、過渡期間の１／２以下である０．１秒とし、前記差異を小さくするようにしている。
【００５１】
また、本第１実施形態において、制御装置４は、第２の加熱装置３の消費電力に関する情報を取得し、消費電力量算出装置６に出力する。
【００５２】
第２の加熱装置３の抵抗加熱ヒータ３１として単位時間当たりの消費電力が１００Ｗの抵抗加熱ヒータを用いた場合、抵抗加熱ヒータ３１の駆動時間が３６秒経過する毎に３６００Ｗｓ（＝１Ｗｈ）の電力が消費される。すなわち、抵抗加熱ヒータ３１のような抵抗負荷は駆動開始の時点から電力が安定しているので、抵抗加熱ヒータ３１の消費電力量は、駆動時間に比例する。
【００５３】
このため、第２の加熱装置３の消費電力量は、別途電流検知装置を設けることなく、第２の加熱装置３の駆動時間と抵抗加熱ヒータ３１の単位時間当たりの消費電力との積を計算することにより、正確に求めることができる。
【００５４】
そこで、本第１実施形態において、消費電力量算出装置６が算出する消費電力量は、電流検知装置５が検知した電流値に基づいて算出した第１の加熱装置２の消費電力量に、第２の加熱装置３の駆動時間に応じて第２の加熱装置３により消費された消費電力量を加算した値としている。
【００５５】
これにより、電流検知装置５の数量を加熱装置２，３の数量より少なくして、炊飯器の大型化を抑えるとともに、調理にかかる消費電力量をより正確に算出することができる。
【００５６】
（第２実施形態）
次に、本発明の第２実施形態にかかる炊飯器について説明する。
【００５７】
本第２実施形態にかかる炊飯器が前記第１実施形態にかかる炊飯器と異なる点は、消費電力量算出装置６が算出する消費電力量を、電流検知装置５が検知した電流値に基づいて算出した第１の加熱装置２の消費電力量に、第２の加熱装置３の駆動時間に応じて第２の加熱装置３により消費された消費電力量と、調理時間に応じた消費電力量とを加算した値を消費電力量算出装置６が算出する消費電力量としている点である。
【００５８】
ここで、「調理時間に応じた消費電力量」とは、調理動作中に、第１及び第２の加熱装置２，３以外の部品、例えば、インバータ回路２２を冷却するファンモータ（図示せず）や電源回路などで消費される消費電力をいう。
【００５９】
調理動作中においては、加熱コイル２１や抵抗加熱ヒータ３１などの消費電力が多い負荷をオフしていても、ファンモータや電源回路などの部品により数ワット程度の電力が消費されている。例えば、この電力を３Ｗとしたとき、１２００秒経過後の消費電力量は３６００Ｗｓ（＝１Ｗｈ）となり、６０分経過後の消費電力量は３Ｗｈとなる。
【００６０】
本第２実施形態にかかる炊飯器によれば、このような調理時間に応じた消費電力量を加算するようにしているので、調理にかかる消費電力量をより正確に算出することができる。
【００６１】
なお、調理時間に応じた消費電力量の加算は、調理開始から終了までの調理時間を測定した後に行ってもよいし、調理開始から時間をカウントし、一定時間毎に当該加算を行うようにしてもよい。例えば、ファンモータや電源回路などの部品により消費される電力が３Ｗである場合、調理開始から１２０秒経過毎に０．１Ｗｈ、又は１２００秒経過毎に１Ｗｈの消費電力量を加算するようにしてもよい。
【００６２】
（第３実施形態）
次に、本発明の第３実施形態にかかる炊飯器について説明する。図２は、本発明の第３実施形態にかかる炊飯器の構成を示すブロック図である。
【００６３】
本第３実施形態にかかる炊飯器が前記第１実施形態にかかる炊飯器と異なる点は、インバータ回路２２の入力電圧を検知する電圧検知装置８を更に備え、消費電力量算出装置６が、電流検知装置５が検知した電流値と電圧検知装置８が検知した電流値とに基づいて第１の加熱装置２の消費電力量を算出するように構成されている点である。
【００６４】
電圧検知装置８は、インバータ回路２２の入力電圧を抵抗分圧し、その分圧した値を制御装置４が備えるＡＤ変換器へ入力することで、電圧値を算出するようにしている。この電圧値は、制御装置４が、第１の加熱装置２の電力を制御する際に用いられる。制御装置４は、入力電圧が１００Ｖより高いときは目標電流値を下げ、入力電圧が１００Ｖより低いときは目標電流値を上げることにより、入力電圧の変動に対して、第１の加熱装置２の電力がなるべく目標の電力に近づくように制御する。
【００６５】
また、電圧検知装置８が検知した電圧値は、消費電力量算出装置６へも出力される。本第３実施形態において、消費電力量算出装置６は、電流検知装置５が検知した電流値と電圧検知装置８が検知した電圧値との積を計算することにより、第１の加熱装置２の電力を算出する。
【００６６】
本第３実施形態にかかる炊飯器によれば、インバータ回路２２の入力電圧が変動しても、第１の加熱装置２の消費電力量の算出をより正確に行うことができる。
【００６７】
（第４実施形態）
次に、本発明の第４実施形態にかかる炊飯器について説明する。図３は、本発明の第４実施形態にかかる炊飯器の構成を示すブロック図である。
【００６８】
本第４実施形態にかかる炊飯器が前記第１実施形態にかかる炊飯器と異なる点は、消費電力量算出装置６と消費電力量表示装置７とに代えて、電気料金算出装置９と電気料金表示装置とを備える点である。
【００６９】
図３において、電気料金算出装置９は、電流検知装置５が検知した電流値に基づいて調理にかかる電気料金を算出するものである。例えば、電気料金算出装置９は、調理開始後０．１秒毎に電流検知装置５が検知した電流値に基づいて算出した第１の加熱装置２の消費電力量に、第２の加熱装置３の駆動時間に応じて第２の加熱装置３により消費された消費電力量を加算し、当該補正後の消費電力量に所定の電気代単価を掛け合わせることで、電気料金を算出する。
【００７０】
例えば、１ｋＷｈあたりの電気代単価を２３円とし、消費電力量が０．５ｋＷｈであったとき、電気料金は１１．５円と算出できる。消費電力量の算出方法は、前記第１実施形態で説明した算出方法と同様であるので、説明は省略する。
【００７１】
電気料金表示装置１０は、例えば、液晶表示装置で構成されている。電気料金表示装置１０は、電気料金算出装置９が算出した電気料金を表示する。
【００７２】
本第４実施形態にかかる炊飯器によれば、１つの電流検知装置５により第１及び第２の加熱装置２、３の電気料金を算出することができるので、炊飯器の大型化を抑えるとともに、調理にかかる電気料金をより正確に算出することができる。
【００７３】
なお、本第４実施形態においては、電気料金算出装置９は調理にかかる消費電力量を求めた後、当該消費電力量に電気代単価を掛け合わせて電気料金を算出するようにしているが、本発明はこれに限定されない。例えば、０．１秒毎の電流値から直接電気料金を求める係数を掛け合わせ、その値を積算するように構成してもよい。この場合でも、同様の効果が得られる。なお、この場合、第２の加熱装置３の駆動時間に合わせて、所定の係数を掛け合わせた値で補正するとよい。
【００７４】
また、本第４実施形態では、電気料金算出装置９が電気料金を算出するものとしたが、電気料金算出装置９の機能を制御装置４が備えるように構成しても良い。
【００７５】
（第５実施形態）
次に、本発明の第５実施形態にかかる炊飯器について説明する。
【００７６】
本第５実施形態にかかる炊飯器が前記第４実施形態にかかる炊飯器と異なる点は、電流検知装置５が検知した電流値に基づいて算出した第１の加熱装置の電気料金に、第２の加熱装置３の駆動時間に応じて第２の加熱装置３により費やされた電気料金と、調理時間に応じた電気料金とを加算した値を電気料金算出装置６が算出する電気料金としている点である。
【００７７】
ここで、「調理時間に応じた電気料金」とは、調理動作中に、第１及び第２の加熱装置２，３以外の部品、例えば、インバータ回路２２を冷却するファンモータ（図示せず）や電源回路などで消費される電気料金をいう。
【００７８】
本第５実施形態にかかる炊飯器によれば、このような調理時間に応じた電気料金を加算するようにしているので、調理にかかる電気料金をより正確に算出することができる。
【００７９】
（第６実施形態）
次に、本発明の第６実施形態にかかる炊飯器について説明する。図４は、本発明の第６実施形態にかかる炊飯器の構成を示すブロック図である。
【００８０】
本第６実施形態にかかる炊飯器が前記第４実施形態にかかる炊飯器と異なる点は、インバータ回路２２の入力電圧を検知する電圧検知装置８を更に備え、電気料金算出装置９が、電流検知装置５が検知した電流値と電圧検知装置８が検知した電流値とに基づいて前記第１の加熱装置２の電気料金を算出するように構成されている点である。
【００８１】
電圧検知装置８は、インバータ回路２２の入力電圧を抵抗分圧し、その分圧した値を制御装置４が備えるＡＤ変換器へ入力することで、電圧値を算出するようにしている。この電圧値は、制御装置４が、第１の加熱手段２の電力を制御する際に用いられる。制御装置４は、入力電圧が１００Ｖより高いときは目標電流値を下げ、入力電圧１００Ｖより低いときは目標電流値を上げることにより、入力電圧の変動に対して、第１の加熱装置２の電力がなるべく目標の電力に近づくよう制御する。
【００８２】
また、電圧検知装置８が検知した電圧値は、電気料金算出装置９へも出力される。本第６実施形態において、電気料金算出装置９は、電流検知装置５検知した電流値と電圧検知装置８が検知した電圧値との積を計算することにより第１の加熱装置２の電力を算出し、当該電力を積算することで第１の加熱装置２の消費電力量を算出する。更に、電気料金算出装置９は、当該消費電力量に所定の電気代単価を掛け合わせることにより、調理にかかる電気料金を算出する。
【００８３】
本第６実施形態にかかる炊飯器によれば、インバータ回路２２の入力電圧が変動しても、第１の加熱装置２にかかる電気料金の算出をより正確に行うことができる。
【００８４】
（第７実施形態）
次に、本発明の第７実施形態にかかる炊飯器について説明する。
【００８５】
本第７実施形態にかかる炊飯器が前記第４実施形態にかかる炊飯器と異なる点は、電気料金表示装置１０が下記に示す特定のタイミングで電気料金を表示する点である。
【００８６】
本第７実施形態において、電気料金算出装置９は、炊飯に費やした電気料金（炊飯開始から炊飯終了までに費やした電気料金）を算出する。電気料金表示装置１０は、炊飯終了時に自動的に、電気料金算出装置９が算出した炊飯に費やした電気料金を表示する。例えば、当該電気料金が約６．２円である場合、電気料金表示装置１０は、図５に示すように当該電気料金を表示する。
【００８７】
また、電気料金表示装置１０は、炊飯終了から任意の一定時間（例えば、６分間）、前記電気料金を表示する。その後、電気料金表示装置１０は、保温状態に移行したことを示す情報を表示する。
【００８８】
また、本第７実施形態において、電気料金算出装置９は、保温に費やした電気料金（保温開始から保温終了までに費やした電気料金）を算出する。電気料金表示装置１０は、保温終了時において、電気料金算出装置９が算出した保温に費やした電気料金を表示する。例えば、当該電気料金が１．２円である場合、電気料金表示装置１０は、図６に示すように当該電気料金を表示する。
【００８９】
電気料金表示装置１０は、炊飯終了から任意の一定時間（例えば、１分間）、前記電気料金を表示する。その後、電気料金表示装置１０は、通常の待機状態（炊飯も保温も行っていない状態）に移行したことを示す情報を表示する。
【００９０】
本第７実施形態にかかる炊飯器によれば、炊飯及び保温動作にどれくらいの電気料金を費やしたかを容易に知ることができる。
【００９１】
また、本第７実施形態にかかる炊飯器によれば、電気料金表示装置１０が、炊飯終了時に自動的に、炊飯で費やした電気料金を任意の一定時間表示し、その後、保温状態に移行したことを示す情報を表示する。これにより、保温状態であるのに電気料金が表示され、現在炊飯器がどのような状態であるかを容易に把握できないといった問題が生じることを抑えることができる。
【００９２】
なお、保温終了時においては、ユーザ自身が切ボタンを押すなどして保温動作を停止させるために、ユーザが炊飯器の近くにいる。一方、炊飯終了時においては、自動的に炊飯動作が停止するため、ユーザが炊飯器の近くにいない可能性がある。このため、電気料金表示装置１０は、炊飯に費やした電気料金を表示する時間を、保温に費やした電気料金を表示するよりも長く表示することが好ましい。
【００９３】
また、本第７実施形態では、炊飯に費やした電気料金と、保温に費やした電気料金とを表示するようにしたが、本発明はこれに限定されない。例えば、図７に示すように、炊飯開始から保温終了までに費やした電気料金を表示するようにしてもよい。また、例えば、炊飯開始から保温終了までに費やした電気料金と、保温に費やした電気料金とを同時に表示するようにしてもよい。また、例えば、炊飯器の動作開始から炊飯中又は保温中の任意期間までに費やした電気料金を表示するようにしてもよい。これにより、ユーザの使い勝手を向上することができる。
【００９４】
（第８実施形態）
次に、本発明の第８実施形態にかかる炊飯器について説明する。図８は、本発明の第８実施形態にかかる炊飯器の構成を示すブロック図である。
【００９５】
本第８実施形態にかかる炊飯器が前記第４実施形態にかかる炊飯器と異なる点は、表示指示ボタン５１を更に備える点である。
【００９６】
表示指示ボタン５１は、例えば、電気料金を表示させるためのボタンである。炊飯動作又は保温動作が行われている状態で表示指示ボタン５１が押されると、電気料金算出装置９が、炊飯開始又は保温開始から表示指示ボタン５１が押されるまでに費やした電気料金を算出する。電気料金表示装置１０は、このようにして電気料金算出装置９により算出された電気料金を任意の一定時間表示する。
【００９７】
本第８実施形態にかかる炊飯器によれば、炊飯動作又は保温動作の途中で、それまでに費やした電気料金を知ることができるので、ユーザの使い勝手を一層向上させることができる。
【００９８】
（第９実施形態）
次に、第９実施形態にかかる炊飯器について説明する。図９は、本発明の第９実施形態にかかる炊飯器の構成を示すブロック図である。
【００９９】
本第９実施形態にかかる炊飯器が前記第８実施形態にかかる炊飯器と異なる点は、記憶部５２を更に備える点である。
【０１００】
記憶部５２は、例えば、フラッシュメモリを備えている。記憶部５２は、過去（前回又はそれ以前）に実行した炊飯又は保温時に費やした電気料金を記憶する。
【０１０１】
炊飯動作も保温動作も行われていない待機状態で表示指示ボタン５１が押されると、電気料金算出装置９は、記憶部５２に記憶された過去に実行した炊飯又は保温時に費やした電気料金を読み込む。電気料金表示装置１０は、当該電気料金を表示する。
【０１０２】
本第９実施形態にかかる炊飯器によれば、過去に実行した炊飯又は保温時に費やした電気料金を知ることができるので、ユーザの使い勝手を一層向上させることができる。
【０１０３】
なお、本第９実施形態において、電気料金表示装置１０は、図１０に示すように、過去に実行した炊飯又は保温時に費やした電気料金の履歴を複数表示することが好ましい。これにより、ユーザの使い勝手を一層向上させることができる。
【０１０４】
また、本第９実施形態において、電気料金表示装置１０は、図１０に示すように、過去に実行した炊飯又は保温時に費やした電気料金とともに、当該実行した炊飯又は保温に対応する炊飯コース又は保温コースを表示することが好ましい。これにより、ユーザの使い勝手を一層向上させることができる。なお、この場合、過去に実行した炊飯又は保温時に費やした電気料金とともに、当該実行した炊飯又は保温に対応する炊飯コース又は保温コースを関連付けて、あらかじめ記憶部５１に記憶させればよい。
【０１０５】
また、本第９実施形態において、電気料金表示装置１０は、図１０に示すように、過去に実行した炊飯又は保温時に費やした電気料金とともに、当該炊飯又は保温を実行した日時を表示することが好ましい。これにより、ユーザの使い勝手を一層向上させることができる。なお、この場合、過去に実行した炊飯又は保温時に費やした電気料金とともに、当該炊飯又は保温を実行した日時を関連付けて、あらかじめ記憶部５１に記憶させればよい。
【０１０６】
（第１０実施形態）
次に、本発明の第１０実施形態にかかる炊飯器について説明する。図１１は、本発明の第１０実施形態にかかる炊飯器の構成を示すブロック図である。
【０１０７】
本第１０実施形態にかかる炊飯器が前記第９実施形態にかかる炊飯器と異なる点は、電気料金の単価を入力可能な単価入力部５３を更に備える点である。
【０１０８】
単価入力部５３は、炊飯器に搭載されたボタンであっても、携帯電話や外部サーバ等から電気料金の単価に関する情報を受信するものであってもよい。単価入力部５３に入力された電気料金の単価は、記憶部５２に記憶される。電気料金算出装置９は、記憶部５２に記憶された電気料金の単価に基づいて調理にかかる電気料金を算出する。
【０１０９】
本第１０実施形態にかかる炊飯器によれば、地域等によって電気料金が異なっている場合でも、より正確な電気料金を算出することができる。
【０１１０】
なお、単価入力部５３は、契約している電力会社の電気料金契約条件にあたる時間帯別、曜日毎、月毎、又はある一定の期間毎の電気料金の単価を入力可能であることが好ましい。これにより、地域等によって電気料金が異なっている場合だけでなく、時間帯や曜日等によって電気料金が異なっている場合でも、より正確な電気料金を算出することができる。
【０１１１】
なお、電気料金表示装置１０は、電気料金を、１回の炊飯毎、１回の保温毎、１回の炊飯及び保温毎、一日単位で費やした電気料金毎、任意の期間に費やした電気料金毎、曜日毎に費やした電気料金毎、朝、昼、夕、晩、夜中等の食事の時間帯毎、又は、契約している電力会社の電気料金設定単価毎に累計して表示することが好ましい。これにより、ユーザは、電気料金を視覚的に容易に理解することができる。図１２は、電気料金を１回の炊飯毎に累計し、棒グラフで表示した例を示している。
【０１１２】
（第１１実施形態）
次に、第１１実施形態にかかる炊飯器について説明する。図１３は、本発明の第１１実施形態にかかる炊飯器の構成を示すブロック図である。
【０１１３】
本第１１実施形態にかかる炊飯器が前記第９実施形態にかかる炊飯器と異なる点は、通信装置５４を更に備える点である。
【０１１４】
通信装置５４は、携帯電話や外部サーバ等の外部通信端末と通信を行うものである。より具体的には、通信装置５４は、外部通信端末と送受信する無線信号の変調、復調、符号化、複号化等を行うものである。通信装置５４の無線通信方式としては、例えば、ＲＦＩＤ（Ｒａｄｉｏ  Ｆｒｅｑｕｅｎｃｙ  Ｉｄｅｎｔｉｔｉｃａｔｉｏｎ）を用いた通信方式や、Ｂｌｕｅｔｏｏｔｈ（登録商標）等がある。
【０１１５】
本第１１実施形態において、記憶部５２は、過去に実行した炊飯又は保温時に費やした電気料金とともに、当該実行した炊飯又は保温に対応する炊飯コース又は保温コース、或いは当該炊飯又は保温を実行した日時を互いに関連付けて記憶している。通信装置５４は、記憶部５２に記憶された情報を外部通信端末に通信する。
【０１１６】
本第１１実施形態にかかる炊飯器によれば、携帯電話や外部サーバ等に電気料金を管理させることができる。
【０１１７】
なお、通信装置５４は、無線通信方式ではなく有線通信方式で通信端末と通信を行うものであってもよい。また、通信装置５４は、例えば、ＰＣＴ／ＩＴプロトコルによるインターネット接続が可能なものであってもよい。
【０１１８】
なお、前記様々な実施形態のうちの任意の実施形態を適宜組み合わせることにより、それぞれの有する効果を奏するようにすることができる。
【０１１９】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１２０】
本発明にかかる炊飯器は、炊飯器の大型化を抑えるとともに、調理にかかる消費電力量又は電気料金をより正確に算出することができるので、消費電力量又は電気料金を表示する機能を有する炊飯器に有用である。
【符号の説明】
【０１２１】
１    鍋
２    第１の加熱装置
３    第２の加熱装置
４    制御装置
５    電流検知装置
６    消費電力量算出装置
７    消費電力量表示装置
８    電圧検知装置
９    電気料金算出装置
１０    電気料金表示装置
２１    加熱コイル
２２    インバータ回路
３１    抵抗加熱ヒータ
３２    スイッチング回路
５１    表示指示ボタン
５２    記憶部
５３    単価入力部
５４    通信装置
【図１】
2013132865.tif 000003
【図２】
2013132865.tif 000004
【図３】
2013132865.tif 000005
【図４】
2013132865.tif 000006
【図５】
2013132865.tif 000007
【図６】
2013132865.tif 000008
【図７】
2013132865.tif 000009
【図８】
2013132865.tif 000010
【図９】
2013132865.tif 000011
【図１０】
2013132865.tif 000012
【図１１】
2013132865.tif 000013
【図１２】
2013132865.tif 000014
【図１３】
2013132865.tif 000015
【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて消費電力量を算出する消費電力量算出装置と、
前記消費電力量算出装置が算出した消費電力量を表示する消費電力量表示装置と、
を備え、
前記消費電力量算出装置が算出する消費電力量は、前記電流検知装置が検知した電流値を第１の加熱装置が加熱を開始し目標電力に到達する過渡期間未満の時間間隔で取得し、該電流値に基づいて算出した前記第１の加熱装置の消費電力量に、前記第２の加熱装置の駆動時間に応じて前記第２の加熱装置により消費された消費電力量を加算した値である、炊飯器。
【請求項２】
前記消費電力量算出装置が算出する消費電力量は、前記電流検知装置が検知した電流値に基づいて算出した前記第１の加熱装置の消費電力量に、前記第２の加熱装置の駆動時間に応じて前記第２の加熱装置により消費された消費電力量と、調理時間に応じた消費電力量とを加算した値である、請求項１に記載の炊飯器。
【請求項３】
更に、前記第１の加熱装置への入力電圧を検知する電圧検知装置を備え、
前記消費電力量算出装置は、前記電流検知装置が検知した電流値と前記電圧検知装置が検知した電圧値とに基づいて前記第１の加熱装置の消費電力量を算出する、請求項１に記載の炊飯器。
【請求項４】
調理物を入れる鍋と、
前記鍋を誘導加熱する加熱コイルと、前記加熱コイルに高周波電流を供給するインバータ回路とを有する第１の加熱装置と、
前記鍋を加熱する抵抗加熱ヒータと、前記抵抗加熱ヒータのオン／オフを切り換えるスイッチング回路とを有する第２の加熱装置と、
前記インバータ回路に入力される電流値を検知する電流検知装置と、
前記第１の加熱装置と前記第２の加熱装置とを制御する制御装置と、
前記電流検知装置が検知した電流値に基づいて電気料金を算出する電気料金算出装置と、
前記電気料金算出装置が算出した電気料金を表示する電気料金表示装置と、
を備え、
前記電気料金算出装置が算出する電気料金は、前記電流検知装置で検知した電流値を第１の加熱装置が加熱を開始し目標電力に到達する過渡期間未満の時間間隔で取得し、該電流値に基づいて算出した前記第１の加熱装置にかかる電気料金に、前記第２の加熱装置の駆動時間に応じて前記第２の加熱装置により費やされた電気料金を加算した料金である、炊飯器。
【請求項５】
前記電気料金算出装置が算出する電気料金は、前記電流検知装置が検知した電流値に基づいて算出した前記第１の加熱装置にかかる電気料金に、前記第２の加熱装置の駆動時間に応じて前記第２の加熱装置により費やされた電気料金と、調理時間に応じた電気料金とを加算した料金である、請求項４に記載の炊飯器。
【請求項６】
更に、前記第１の加熱装置への入力電圧を検知する電圧検知装置を備え、
前記電気料金算出装置は、前記電流検知装置が検知した電流値と前記電圧検知装置が検知した電圧値とに基づいて前記第１の加熱装置にかかる電気料金を算出する、請求項４に記載の炊飯器。
【請求項７】
前記電気料金表示装置は、炊飯に費やした電気料金、保温に費やした電気料金、炊飯開始から保温終了までに費やした電気料金、炊飯器の動作開始から炊飯中又は保温中の任意期間までに費やした電気料金のいずれかを表示する、請求項４に記載の炊飯器。
【請求項８】
前記電気料金表示装置は、炊飯終了時に自動的に、炊飯で費やした電気料金を任意の一定時間表示し、その後、保温状態に移行したことを示す情報を表示する、請求項７に記載の炊飯器。
【請求項９】
更に、前記電気料金の表示を指示する表示指示ボタンを備え、
前記電気料金表示装置は、炊飯動作又は保温動作中に前記表示指示ボタンが押されたとき、炊飯開始から前記表示指示ボタンが押されるまでに費やした電気料金を表示する、請求項７に記載の炊飯器。
【請求項１０】
前記電気料金の表示を指示する電気料金表示指示ボタンと、
過去に実行した炊飯又は保温時に費やした電気料金を記憶する記憶部と、
を更に備え、
前記電気料金表示装置は、待機状態で前記表示指示ボタンが押されたとき、前記記憶部に記憶された過去に実行した炊飯又は保温時に費やした電気料金を表示する、請求項７に記載の炊飯器。
【請求項１１】
前記記憶部は、過去に実行した炊飯又は保温時に費やした電気料金とともに、当該実行した炊飯又は保温に対応する炊飯コース又は保温コースを関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた炊飯コース又は保温コースとを表示する、請求項１０に記載の炊飯器。
【請求項１２】
前記記憶部は、過去に実行した炊飯又は保温時に費やした電気料金とともに、当該炊飯又は保温を実行した日時を関連付けて記憶し、
前記電気料金表示装置は、待機状態で前記表示指示ボタンが押されたとき、前記記憶部に記憶された過去に実行した炊飯又は保温時に費やした電気料金と、当該電気料金に関連付けられた日時とを表示する、請求項１０に記載の炊飯器。
【請求項１３】
更に、電気料金の単価を入力可能な単価入力部を備え、
前記記憶部は、前記単価入力部に入力された電気料金の単価を記憶し、
前記電気料金算出装置は、前記電気料金の単価に基づいて調理にかかる電気料金を算出する、請求項１０に記載の炊飯器。
【請求項１４】
前記単価入力部は、契約している電力会社の電気料金契約条件にあたる時間帯別、曜日毎、月毎、又はある一定の期間毎の電気料金の単価を入力可能である、請求項１３に記載の炊飯器。
【請求項１５】
前記電気料金表示装置は、電気料金を、１回の炊飯毎、１回の保温毎、１回の炊飯及び保温毎、一日単位で費やした電気料金毎、任意の期間に費やした電気料金毎、曜日毎に費やした電気料金毎、朝、昼、夕、晩、夜中等の食事の時間帯毎、又は、契約している電力会社の電気料金設定単価毎に累計して表示する、請求項１０に記載の炊飯器。
【請求項１６】
外部通信端末と通信を行う通信装置を更に備え、
前記通信装置は、前記記憶部に記憶された情報を前記外部通信端末に通信する、請求項１１又は１２に記載の炊飯器。
【国際調査報告】
2013132865.tif 000016
2013132865.tif 000017
2013132865.tif 000018
2013132865.tif 000019